【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
複数の直列接続された電池素子を有するエネルギ貯蔵システムのための例外的充電事象の検出装置であって、
前記複数の直列接続された電池素子の各電池素子について、前記エネルギ貯蔵システムの動作期間中に一連の充電依存性パラメータを決定するデータ取得システムと、
前記データ取得システムに結合され、前記複数の直列接続された電池素子の各電池素子について、前記一連の充電依存性パラメータから特性化を確立する制御装置と、
を備え、
前記特性化は、前記動作期間にわたる複数の時間セグメントの各時間セグメントについて、正常特性パターン又は例外特性パターンのいずれかを含み、
選択された１つの電池素子の前記特性化で、正常特性パターンが期待されるいずれかの特定の時間セグメントに例外特性パターンが含まれる場合、前記制御装置は前記選択された１つの電池素子について例外的充電事象を検出することを特徴とする例外的充電事象の検出装置。
【請求項２】
前記動作は、充電ステーションから前記エネルギ貯蔵システムに充電することを含み、前記例外的充電事象は前記選択された電池素子の過充電を示すことを特徴とする請求項１に記載の例外的充電事象の検出装置。
【請求項３】
前記選択された電池素子の前記一連のパラメータは、前記時間セグメントの各セグメント中の電圧レベルを含むことを特徴とする請求項２に記載の例外的充電事象検出器。
【請求項４】
前記選択された電池素子の前記特性化は、特定の時間セグメントにわたる前記選択された電池素子の充電の変化に対する前記電池電圧レベルの変化を決定することを含むことを特徴とする請求項３に記載の例外的充電事象検出器。
【請求項５】
前記正常充電パターンは前記決定のための略直線状特性を含み、前記例外充電パターンは前記決定のための略非直線状特性を含むことを特徴とする請求項４に記載の例外的充電事象検出器。
【請求項６】
前記複数の電池素子のグループ毎に前記一連の充電依存性パラメータから決定される基準を含むことを特徴とする請求項１に記載の例外的充電事象の検出装置。
【請求項７】
各特定電池素子の各特定時間セグメントの前記特性パターンは、前記基準と前記特定時間セグメントにおける前記特定電池素子の前記パラメータとの間の差を含むことを特徴とする請求項６に記載の例外的充電事象の検出装置。
【請求項８】
前記動作は、充電ステーションから前記エネルギ貯蔵システムを充電することを含むことを特徴とする請求項７に記載の例外的充電事象の検出装置。
【請求項９】
特定の電池素子の前記一連のパラメータは、前記時間セグメントの各セグメント中の前記特定の電池素子の電圧レベルを含むことを特徴とする請求項８に記載の例外的充電事象の検出装置。
【請求項１０】
特定の電池素子の前記特性化は、特定の時間セグメントにわたる前記特定の電池素子の充電の変化に対する前記電池電圧レベルの変化を決定することを含むことを特徴とする請求項９に記載の例外的充電事象の検出装置。
【請求項１１】
前記正常充電パターンは前記決定のための略直線状特性を含み、前記例外充電パターンは前記決定のための略非直線状特性を含むことを特徴とする請求項１０に記載の例外的充電事象の検出装置。
【請求項１２】
前記動作は前記エネルギ貯蔵システムを放電させることを含むことを特徴とする請求項１に記載の例外的充電事象の検出装置。
【請求項１３】
特定の電池素子の前記一連のパラメータは、前記時間セグメントの各セグメント中の前記特定の電池素子の電圧レベルを含むことを特徴とする請求項１２に記載の例外的充電事象の検出装置。
【請求項１４】
特定の電池素子の前記特性化は、特定の時間セグメントにわたる前記特定の電池素子の充電の変化に対する前記電池電圧レベルの変化を決定することを含むことを特徴とする請求項１３に記載の例外的充電事象の検出装置。
【請求項１５】
前記正常充電パターンは前記決定のための略直線状特性を含み、前記例外充電パターンは前記決定のための略非直線状特性を含むことを特徴とする請求項１４に記載の例外的充電事象の検出装置。
【請求項１６】
前記複数の電池素子のグループ毎に前記一連の充電依存性パラメータから決定される基準を含むことを特徴とする請求項１２に記載の例外的充電事象の検出装置。
【請求項１７】
各特定電池素子の各特定時間セグメントの前記特性パターンは、前記特定時間セグメントにおける前記特定電池素子の前記パラメータと前記基準との間の差を含むことを特徴とする請求項１６に記載の例外的充電事象の検出装置。
【請求項１８】
前記動作は、充電ステーションから前記エネルギ貯蔵システムを充電することを含むことを特徴とする請求項１７に記載の例外的充電事象の検出装置。
【請求項１９】
特定の電池素子の前記一連のパラメータは、前記時間セグメントの各セグメント中の前記特定の電池素子の電圧レベルを含むことを特徴とする請求項１８に記載の例外的充電事象の検出装置。
【請求項２０】
特定の電池素子の前記特性化は、特定の時間セグメントにわたる前記特定の電池素子の充電の変化に対する前記電池電圧レベルの変化を決定することを含むことを特徴とする請求項１９に記載の例外的充電事象の検出装置。
【請求項２１】
前記正常充電パターンは前記決定のための略直線状特性を含み、前記例外充電パターンは前記決定のための略非直線状特性を含むことを特徴とする請求項２０に記載の例外的充電事象の検出装置。
【請求項２２】
前記データ取得システムは、前記複数の電池素子の電圧レベル間の電圧の不一致を確立しかつ低減する電圧測定および均衡化システムを含むことを特徴とする請求項１に記載の例外的充電事象の検出装置。
【請求項２３】
複数の直列接続されたリチウムイオン電池素子を有する再充電可能なエネルギ貯蔵システムであって、
前記エネルギ貯蔵システムの前記複数の電池素子の電圧レベル間の電圧の不均衡を検出し且つ低減する電圧測定および均衡化システムであって、第１検出モダリティを使用して電圧の不均衡の存在を決定する電圧測定および均衡化システムと、
前記第１検出モダリティとは異なる第２検出モダリティを使用して、例外的充電事象が無いか前記複数の電池素子を監視する例外的充電事象検出器と、
を備え、
前記例外的充電事象検出器は、前記複数の電池素子の各電子素子について、前記エネルギ貯蔵システムの動作期間中に一連の充電依存性パラメータを決定し、
前記再充電可能なエネルギ貯蔵システムは、前記一連の充電依存性パラメータから前記複数の直列接続された電池素子の各電池素子の特性化を確立する制御装置をさらに備え、
前記特性化は、前記動作期間にわたる複数の時間セグメントの各時間セグメントについて、正常特性パターンおよび例外特性パターンの１つを含み、
選択された１つの電池素子の前記特性化で、正常特性パターンが期待されるいずれかの特定の時間セグメントに例外特性パターンが含まれる場合、前記制御装置は前記選択された１つの電池素子に対し例外的充電事象を検出することを特徴とする再充電可能なエネルギ貯蔵システム。
【請求項２４】
複数の直列接続された電池素子を有するエネルギ貯蔵システムの例外的充電事象を検出するためのコンピュータ実現方法であって、
ａ）前記複数の直列接続された電池素子の各電池素子について、前記エネルギ貯蔵システムの動作期間中に、一連の充電依存性パラメータを決定するステップと、
ｂ）前記複数の直列接続された電池素子の各電池素子について、前記一連の充電依存性パラメータから特性化を確立するステップであって、前記特性化が、前記動作期間にわたる複数の時間セグメントの各セグメントについて、正常特性パター又は例外特性パターンのいずれかを含んで成るステップと、
ｃ）選択された１つの電池素子の特性化で、正常特性パターンが期待されるいずれかの特定の時間セグメントに例外特性パターンが含まれる場合、前記選択された１つの電池素子について例外的充電事象を検出するステップと、
を含むことを特徴とする方法。